(57)【要約】【課題】  長期に渡って密閉性を維持可能とする。【解決手段】  いずれも低硬度ふっ素樹脂によって成形されている容器本体１１と、この容器本体の口径部１２に装着するキャップ２とを備え、口径部１２は外周に雄ねじ部１２ｂを設け、キャップ２は内周面に雄ねじ部１２ｂと結合する雌ねじ部２ａを形成し、内底面に環状のリブ２１を設けていると共に、内周壁にリブ２１を囲むようにかつ間隙を置いて外周押さえ２２を設け、口径部の上端部１２ａはリブ２１と外周押さえ２２の間の上記間隙であるシール溝２３に圧入されかつ上記リブと上記外周押さえとによって挟まれた状態で保持されている。【選択図】        図１
2009102026.tif 000002
【特許請求の範囲】
【請求項１】
いずれも低硬度ふっ素樹脂によって成形されている容器本体と、この容器本体の口径部に装着するキャップとを備えており、
上記口径部は外周に雄ねじ部を設けてあり、
上記キャップは、内周面に上記雄ねじ部と結合する雌ねじ部を形成してあり、内底面に環状のリブを設けていると共に、内周壁に上記リブを囲むようにかつ間隙を置いて外周押さえを設けてあり、
上記口径部の上端部は、上記リブと上記外周押さえとの間の上記間隙であるシール溝に圧入されかつ上記リブと上記外周押さえとによって挟まれた状態で保持されている
ことを特徴とするふっ素樹脂製容器。
【請求項２】
シール溝は、対向する内壁面が底部に向けて交わる方向に傾斜していることを特徴とする請求項１記載のふっ素樹脂製容器。
【請求項３】
キャップのリブの端面は平坦面に形成されていることを特徴とする請求項１又は請求項２記載のふっ素樹脂製容器。
【請求項４】
容器本体の口径部を密閉可能に装着する中栓を備えていることを特徴とする請求項１乃至請求項３のいずれかに記載のふっ素樹脂製容器。
【請求項５】
キャップのリブの端面は平坦面に形成されており、中栓は容器本体の口径部の開口縁部に密着可能なつば部を有し、かつこのつば部の上面が上記リブの端面に密着可能な平坦面に形成されていることを特徴とする請求項４記載のふっ素樹脂製容器。
【発明の詳細な説明】
【技術分野】
【０００１】
この発明は、内容物を長期に渡って変質しないように保存するためのふっ素樹脂製容器に関するものである。
【背景技術】
【０００２】
内容物、例えば液体を長期保存するための密閉容器として、プラスチック製又はガラス製のものが一般的であるが、これらの容器によると経時的に材質に含まれる可塑剤や鉛などが保存液体に溶出されて、保存液体の純度を低下させる問題があった。このため、最近は、上記の問題が発生し難いふっ素樹脂製容器が広く用いられている。
従来より、密閉して液体の漏れを防止するためのふっ素樹脂製容器において、図９に示すように、容器の口径部１１２の外周には雄ねじ部１１２ｂを設け、上記口径部を密閉するキャップ１０２には、その内底面（天面）に環状（リング状）のリブ（インナーリング）１２１を設け、内周面に上記雄ねじ部と結合可能である雌ねじ部１０２ａを設けている。キャップ１０２を容器の口径部１１２にねじ込んで口径部を被覆した段階では、リブ１２１は口径部の上端部１１２ａの開口縁内周面に圧入され、リブの外周面は口径部の開口端の内周面に密着状態に弾性保持される。この結果、容器の口径部１１２はキャップ１０２によって密閉されることとなる。
実質的に同様な密閉技術は、他のプラスチック容器にも採用されており、例えば特開平８−４８３５０号公報に記載の容器や特開２００３−２３０４２７号公報に記載の容器などに開示されている。
【特許文献１】特開平８−４８３５０号公報
【特許文献２】特開２００３−２３０４２７号公報
【発明の開示】
【発明が解決しようとする課題】
【０００３】
図９に示すふっ素樹脂製容器ではリブ１２１に対する長期間、例えば一年間の弾性保持力が維持できにくく、弾性変形に伴ってリブ外周面と容器の口径部１１２の開口端の内周面との間にわずかな隙間が生じ、密閉性が低下する課題があった。同様の課題は前述した他のプラスチック容器においても生じている。
この発明の目的は、長期に渡って密閉性を維持可能とすることにある。
【課題を解決するための手段】
【０００４】
この発明の第１の特徴は、いずれも低硬度ふっ素樹脂によって成形されている容器本体と、この容器本体の口径部に装着するキャップとを備えており、上記口径部は外周に雄ねじ部を設けてあり、上記キャップが内周面に上記雄ねじ部と結合する雌ねじ部を形成してあり、内底面に環状のリブを設けていると共に、内周壁に上記リブを囲むようにかつ間隙を置いて外周押さえを設けてあり、上記口径部の上端部が上記リブと上記外周押さえとの間の上記間隙であるシール溝に圧入されかつ上記リブと上記外周押さえとによって挟まれた状態で保持されていることにある。
この発明の第２の特徴は、上記第１の特徴を前提とし、シール溝が対向する内壁面が底部に向けて交わる方向に傾斜されていることにある。
この発明の第３の特徴は、上記第１又は第２の特徴を前提とし、キャップのリブの端面は平坦面に形成されていることにある。
この発明の第４の特徴は、上記第１乃至第３のいずれかの特徴を前提とし、容器本体の口径部を密閉可能に装着する中栓を備えていることにある。
この発明の第５の特徴は、上記第４の特徴を前提とし、キャップのリブの端面が平坦面に形成されており、中栓が容器本体の口径部の開口縁部に密着可能なつば部を有し、かつこのつば部の上面が上記リブの端面に密着可能な平坦面に形成されていることにある。
【発明の効果】
【０００５】
この発明によれば、口径部の上端部がリブと外周押さえとの間の間隙であるシール溝に圧入され、上記リブと上記外周押さえによって挟持されるので、長期に渡って密閉性を維持することができる。
【発明を実施するための最良の形態】
【０００６】
この発明に係る第１の実施の形態について図１〜図３を参照して説明する。
図１及び図２に示すふっ素樹脂製容器１は、いずれも低硬度ふっ素樹脂によって成形されている容器本体１１とキャップ２とを備えているものである。
【０００７】
容器本体１１は、図示の例では丸型であってその上部には口径部１２を設けてある。口径部１２はその外周に上部を除いて雄ねじ部１２ｂが一体に形成されている。口径部１２の上部には溝１２ｃが全周に形成され、この溝に連続して上端部１２ａが圧入部となっている。
【０００８】
キャップ２は口径部１２に装着され、口径部を密閉している。
キャップ２の内周面には、口径部１２の雄ねじ部１２ｂに結合可能である雌ねじ部２ａが形成されている。キャップ２には、下端開口部に対向する内底部に環状のリブ２１及び外周押さえ２２を設けてある。
リブ２１は、図１及び図３に示すように、キャップ２の内底面からこのキャップの内周面に沿って環状に配置されている。リブ２１の端面２１ａは平坦面に形成されている。
外周押さえ２２は、キャップ２の内周壁にリブ２１を囲むようにかつ間隙を置いて設けられており、この間隙がシール溝２３である。
【０００９】
容器本体１１の口径部１２とキャップ２との関係について図１を参照して説明する。
リブ２１と外周押さえ２２との間に形成されているシール溝２３の溝幅は口径部１２の上端部１２ａの開口縁部の厚みより狭く、溝の深さは溝の対向する内壁面２３ａ，２３ｂで上端部を挟んで保持できるものに設定されている。
口径部１２の上端部１２ａは、シール溝２３内に圧入されかつリブ２１と外周押さえ２２とによって挟まれた状態で保持されている。
口径部１２の上端部１２ａの内面及び外面はシール溝２３の内壁面２３ａ，２３ｂに所定圧力で密着され、密閉性が高められ、容器の材質である弾性を頼ることなく、長期間の漏れを防止することができる。
高密閉性を得るために、図１に示すようにシール溝２３の内壁面２３ａ，２３ｂを上方に向けて（溝底部に向けて）互いに交わる方向に傾斜する傾斜壁面にするのが良く、内壁面のなす角度θが２°〜１０°の範囲が望ましい。
また口径部１２の雄ねじ部１２ｂ及びキャップ２の雌ねじ部２ａの形状はのこ歯形状であるから、互いにねじ部の結合時の緩みが長期間防止できる。ねじ形状の見地からも密閉効果を高めている。
【００１０】
上記構成であるから、キャップ２を容器本体１１の口径部１２の上端部１２ａに被せてから、キャップを回しながらねじ込んで行くと、やがて口径部の上端部は徐々にシール溝２３内に入り込みつつ圧入され、図１に示すねじ込みを終えた段階では、上端部がリブ２１と外周押さえ２２とによって挟まれた状態で保持されている。
この結果、容器本体１１はキャップ２によって高度に密封され、内容物は長期に渡って変質することなく保存されることになる。
【００１１】
この発明に係るふっ素樹脂製容器の他の実施の形態について図４〜図６を参照して説明する。
図４及び図５に示すふっ素樹脂製容器１Ａは、第１に中栓３を使用している点、第２にキャップ２Ａの雌ねじ部２Ａａのねじ山の数が異なる点でふっ素樹脂製容器１の構成と相違しているが、その他の構成は同一である。
以下、ふっ素樹脂製容器１との相違点を主に説明し、共通点についての説明を省略し、符号についても共通する構成に関して、ふっ素樹脂製容器１の説明で使用した符号をそのまま使用して、相互の対応関係を明らかにしている。
中栓３は容器本体１１の口径部１２に装着されている。中栓３は栓部３１、つば部３２及びつまみ部３３からなり、いずれも低硬度ふっ素樹脂によって一体成形されている。
栓部３１は容器本体１１の口径部１２の開口に圧入され、口径部を密閉可能である。つば部３２は、下面が平坦面となっている口径部１２の上端部の端面に密着されている。つば部３２の上面３２ａは平坦面となっている。つば部３２の上面３２ａにはキャップ２のリブ２１の端面２１ａが接触し、このリブによって押圧されている。つば部３２の上面３２ａとリブ２１の端面２１ａとは平坦面であることから、接触面が互いに密着されかつリブ２１による押圧力によって密着が強化されている。
つまみ部３３は舌片状に形成されており（図６）、主に中栓３を容器本体１１の口径部１２から外す際に用いられる。
【００１２】
この発明に係るふっ素樹脂製容器のさらに他の実施の形態について図７及び図８を参照して説明する。
図示するふっ素樹脂製容器１Ｂの特徴は、図７に示すように中栓３Ｂを使用する場合、図８に示すように中栓３Ｂを使用していない場合のいずれも同一種類のキャップ２Ｂが容器本体１１Ｂの口径部１２Ｂを封止可能であることにある。
ふっ素樹脂製容器１Ｂの容器本体１１Ｂの口径部１２Ｂ及びキャップ２Ｂの各構成は図４に示す口径部１２及びキャップ２Ａと実質的に同一である。
口径部１２Ｂにおける上端部１２Ｂａ、雄ねじ部１２Ｂｂ、溝１２Ｂｃは、図４に示す口径部１２における上端部１２ａ、雄ねじ部１２ｂ、溝１２ｃにそれぞれ対応している。
キャップ２Ｂにおける雌ねじ部２Ｂａは図４に示すキャップ２Ａにおける雌ねじ部２Ａａに対応している。キャップ２Ｂに設けているリブ２１と、シール溝２３を挟んで設けている外周押さえ２２には口径部１２Ｂの上端部１２Ｂａを挟み固定しており、その構成及び機能はキャップ２Ａのリブ２１、シール溝２３を挟んで設けられている外周押さえ２２と変わらないので、符号を相互に一致させて対応関係を明らかにしている。
中栓３Ｂは厚みを除いて図４に示す中栓３と同一構成であるので、図４に示す中栓３の栓部３１、つば部３２及び上面３２ａの符号をそのまま使用している。
図示するふっ素樹脂製容器１Ｂでは、その使用例（中栓３Ｂの用不用）が異なる場合でもキャップ２Ｂを兼用できる利点がある。
【００１３】
図１及び図８に示すふっ素樹脂製容器１，１Ｂでは、キャップ２，２Ｂに設けているリブ２１と、シール溝２３を挟んで設けている外周押さえ２２にて口径部１２，１２Ｂの上端部１２ａ，１２Ｂａを挟持し、対向しかつ傾斜する内壁面２３ａ，２３ｂ（図１）のシール溝内に圧入することによって、弾性を利用せずに長期間の漏れ防止をすることができる効果がある。
もちろん、必ずしも内壁面２３ａ，２３ｂは傾斜面にすることを要しない。
ふっ素樹脂製容器の使用例として、比較的短時間に繰り返しキャップ２を開閉する場合には、中栓３を使用せずにふっ素樹脂製容器１，１Ｂを使用するのが良い（図１及び図８）。長期間内容物を保管する場合には、ふっ素樹脂製容器１Ａ，１Ｂに中栓３，３Ｂを使用することでより一層漏れ防止に効果がある（図４及び図７）。
図７及び図８に示すように、容器本体１１Ｂに対して兼用可能なキャップ２Ｂによって、兼用にすれば、ふっ素樹脂製容器は使用目的に合わせ中栓３Ｂの有無の両用に使用することができる。
ふっ素樹脂製容器１Ａ，１Ｂでは、リブ２１の端面２１ａを平坦面として、このリブによって中栓３，３Ｂを強く固定するので、中栓を利用した場合には密閉性が確保できる。
ふっ素樹脂製容器１，１Ａ，１Ｂの材質であるふっ素樹脂はその材質に滑性があり、キャップ２，２Ａ，２Ｂにて密閉する場合のねじ形状はメートル並目ねじ、台形ねじ又は丸ねじでは滑り緩んでしまうので、図示の例ではのこ歯ねじを使用し、緩みを防止している。
【図面の簡単な説明】
【００１４】
【図１】この発明の第１の実施の形態に係るふっ素樹脂製容器の主要部を示す縦断面図である。
【図２】この発明の第１の実施の形態に係るふっ素樹脂製容器の主要部を分解して示す拡大端面図である。
【図３】この発明の第１の実施の形態に係るふっ素樹脂製容器におけるキャップを示す拡大底面図であって、雌ねじ部の一部を切欠して示す図である。
【図４】この発明の他の実施の形態に係るふっ素樹脂製容器の主要部を示す縦断面図である。
【図５】この発明の他の実施の形態に係るふっ素樹脂製容器の主要部を分解して示す拡大端面図である。
【図６】この発明の他の実施の形態に係るふっ素樹脂製容器における中栓を示す平面図である。
【図７】この発明のさらに他の実施の形態に係るふっ素樹脂製容器における中栓を使用している場合の主要部を示す正面図である。
【図８】この発明のさらに他の実施の形態に係るふっ素樹脂製容器における中栓を使用していない場合の主要部を示す正面図である。
【図９】従来のふっ素樹脂製容器のキャップと容器の口径部との主要な結合構造を示す拡大断面図である。
【符号の説明】
【００１５】
１，１Ａ，１Ｂ                ふっ素樹脂製容器
１１，１１Ｂ                  容器本体
１２，１２Ｂ                  口径部
１２ａ，１２Ｂａ              上端部
１２ｂ，１２Ｂｂ              雄ねじ部
２，２Ａ，２Ｂ                キャップ
２ａ，２Ａａ，２Ｂａ          雌ねじ部
２１                          リブ
２１ａ                        端面
２２                          外周押さえ
２３                          シール溝
２３ａ，２３ｂ                内壁面
３，３Ｂ                      中栓
３１                          栓部
３２                          つば部
３２ａ                        つば部の上面
θ                            内壁面のなす角度
【図１】
2009102026.tif 000003
【図２】
2009102026.tif 000004
【図３】
2009102026.tif 000005
【図４】
2009102026.tif 000006
【図５】
2009102026.tif 000007
【図６】
2009102026.tif 000008
【図７】
2009102026.tif 000009
【図８】
2009102026.tif 000010
【図９】
2009102026.tif 000011